(57)【要約】  本発明はコードブックの配置方法、装置及びシステムを開示し、前記方法は、送信端がコードワード制限サブセットを選定し、且つ受信端に通知すること、前記コードワード制限サブセットは第1コードブック及び/或は第2コードブックにおける部分のコードワード或は全てのコードワードを含むこと、前記受信端は前記コードワード制限サブセットの内に最適なプリコーディングコードワードを選択し、且つ前記最適なプリコーディングコードワードのインデックスを送信端に通知することを含み、本発明を通じて、高級ロング・ターム・エボリューション（LTE-A）システムにおいて、ダブルコードブックの場合に対してコードワード制限を行い、受信端がコードワードの選択を行う場合の計算複雑度を減少し、且つ受信端がコードワードを誤選択する場合を減少させ、且つLTEにおけるシグナル構造を良好的に継承可能とすることを実現する。【選択図】          図１
2013522982.tif 000002
【特許請求の範囲】
【請求項１】
コードブックの配置方法であって、高級ロング・ターム・エボリューション（LTE-A）システムに応用され、前記方法は、
送信端はコードワード制限サブセットを選定し、且つ受信端に通知し、前記コードワード制限サブセットは、第1コードブック及び/或は第2コードブックにおける部分のコードワード或は全てのコードワードを含み、及び、
前記受信端は前記コードワード制限サブセット内に最適なプリコーディングコードワードを選択し、且つ前記最適なプリコーディングコードワードのインデックスを送信端に通知することを含むコードブックの配置方法。
【請求項２】
送信端にコードワード制限サブセットを選定し、且つ受信端に通知するステップにおいて、前記送信端は上位層シグナルを通じて、選定されたコードワード制限サブセットを受信端に通知する請求項1に記載の方法。
【請求項３】
送信端にコードワード制限サブセットを選定し、且つ受信端に通知するステップにおいて、前記送信端は受信端に制限サブセットビットマップを載せるシグナルを送信することによって、選定されたコードワード制限サブセットを受信端に通知し、
その中、前記制限サブセットビットマップにおけるそれぞれの情報ビットはコードワードと関連し、関連のコードワードが前記コードワード制限サブセットに属するか否かを表示することに用いられる請求項1に記載の方法。
【請求項４】
送信端にコードワード制限サブセットを選定し、且つ受信端に通知するステップにおいて、前記送信端は、
（1）第1コードブックと第2コードブックにおけるコードワードに対して結合サブセット制限を行い、その中、第1コードブックにおける1つのコードワードと第2コードブックにおける1つのコードワードをコードワード組み合わせとし、各種のコードワード組み合わせは制限サブセットビットマップにおける1つの情報ビットと関連し、前記コードワード制限サブセットは、第1コードブックから抽出されたコードワードと第2コードブックから抽出されたコードワードを含み、
（2）第1コードブックのコードワードだけに対してサブセット制限を行い、その中、第1コードブックにおけるそれぞれのコードワードを制限サブセットビットマップにおける1つの情報ビットと関連させ、前記コードブック制限サブセットは、第1コードブックから抽出されたコードワードと第2コードブックの全てのコードワードを含み、
（3）第2コードブックのコードワードだけに対してサブセット制限を行い、その中、第2コードブックにおけるそれぞれのコードワードを制限サブセットビットマップにおける1つの情報ビットと関連させ、前記コードブック制限サブセットは、第2コードブックから抽出されたコードワードと第1コードブックの全てのコードワードを含み、
（4）第1コードブックと第2コードブックにおけるコードワードに対して別々にサブセット制限を行い、その中、第1コードブックと第2コードブックにおけるそれぞれのコードワードを制限サブセットビットマップにおける1つの情報ビットと関連させ、前記コードワード制限サブセットは第1コードブックから抽出されたコードワードと第2コードブックから抽出されたコードワードを含む
の方式の1つによって制限サブセットビットマップを設置する請求項3に記載の方法。
【請求項５】
前記制限サブセットビットマップに
2013522982.tif 000054
の情報ビットを含み、
第1コードブックと第2コードブックにおけるコードワードに対して結合サブセット制限を行う場合、 
2013522982.tif 000055
であり、
第1コードブックのコードワードだけに対してサブセット制限を行う場合、
2013522982.tif 000056
であり、
第2コードブックのコードワードだけに対してサブセット制限を行う場合、
2013522982.tif 000057
であり、
第1コードブックと第2コードブックにおけるコードワードに対して別々にサブセット制限を行う場合、
2013522982.tif 000058
であり、
その中、前記第1コードブックにM個のコードワードを含み、第2コードブックにN個のコードワードを含む請求項4に記載の方法。
【請求項６】
前記コードワード制限サブセットはシングルコードブックだけを使用する場合におけるシングルコードブックの全てのコードワードをさらに含み、
前記受信端は前記コードワード制限サブセットの内に最適なプリコーディングコードワードを選択し、且つ前記最適なプリコーディングコードワードのインデックスを送信端に通知するステップにおいて、前記受信端は伝送ランクの値により、前記コードワード制限サブセットに含まれる第1コードブックと第2コードブックのコードワードに最適なプリコーディングコードワードを選択し、或は前記コードワード制限サブセットに含まれるシングルコードブックのコードワードに最適なプリコーディングコードワードを選択する請求項1〜5のいずれか一つに記載の方法。
【請求項７】
前記受信端は周期的フィードバックの方式及び/或は非周期的フィードバックの方式を採用して前記最適なプリコーディングコードワードのインデックスを送信端に通知し、
送信端にコードワード制限サブセットを選定し、且つ受信端に通知するステップにおいて、受信端に採用される周期的フィードバックの方式と非周期的フィードバックの方式に対して、送信端は同じコードワード制限サブセット、或は別々に異なるコードワード制限サブセットを選定する請求項1〜5のいずれか一つに記載の方法。
【請求項８】
コードブックの配置装置であって、第1選択モジュールと第1送受信モジュールを含み、その中、 
前記第1選択モジュールは、コードワード制限サブセットを選定し、且つ第1送受信モジュールに通知し、前記コードワード制限サブセットは第1コードブック及び/或は第2コードブックにおける部分のコードワード或は全てのコードワードを含むように設置され、
前記第1送受信モジュールは、選定されたコードワード制限サブセットを受信端に通知するように設置されるコードブックの配置装置。
【請求項９】
前記第1選択モジュールは、第1送受信モジュールに制限サブセットビットマップを送信することによって、選定されたコードワード制限サブセットを第1送受信モジュールに通知するように設置され、
前記第1送受信モジュールは、受信端に制限サブセットビットマップを載せるシグナルを送信することによって、選定されたコードワード制限サブセットを受信端に通知するように設置され、
その中、前記制限サブセットビットマップにおける各情報ビットはコードワードと関連し、関連のコードワードが前記コードワード制限サブセットに属するか否かを表示するのに用いられる請求項8に記載の装置。
【請求項１０】
前記第1選択モジュールは、、
（1）第1コードブックと第2コードブックにおけるコードワードに対して結合サブセット制限を行い、その中、第1コードブックにおける1つのコードワードと第2コードブックにおける1つのコードワードをコードワード組み合わせとし、毎種のコードワード組み合わせは制限サブセットビットマップにおける1つの情報ビットと関連し、前記コードワード制限サブセットは、第1コードブックから抽出されたコードワードと第2コードブックから抽出されたコードワードを含み、
（2）第1コードブックのコードワードだけに対してサブセット制限を行い、その中、第1コードブックにおけるそれぞれのコードワードを制限サブセットビットマップにおける1つの情報ビットと関連させ、前記コードブック制限サブセットは、第1コードブックから抽出されたコードワードと第2コードブックの全てのコードワードを含み、
（3）第2コードブックのコードワードだけに対してサブセット制限を行い、その中、第2コードブックにおけるそれぞれのコードワードを制限サブセットビットマップにおける1つの情報ビットと関連させ、前記コードブック制限サブセットは、第2コードブックから抽出されたコードワードと第1コードブックの全てのコードワードを含み、
（4）第1コードブックと第2コードブックにおけるコードワードに対して別々にサブセット制限を行い、その中、第1コードブックと第2コードブックのそれぞれのコードワードを制限サブセットビットマップにおける1つの情報ビットと関連させ、前記コードワード制限サブセットは、第1コードブックから抽出されたコードワードと第2コードブックから抽出されたコードワードを含む
の方式の1つを通じて制限サブセットビットマップを設置する請求項9に記載の装置。
【請求項１１】
前記第1選択モジュールはさらに、
前記制限サブセットビットマップに
2013522982.tif 000059
の情報ビットを含み、
第1コードブックと第2コードブックにおけるコードワードに対して結合サブセット制限を行う場合、 
2013522982.tif 000060
であり、
第1コードブックのコードワードだけに対してサブセット制限を行う場合、
2013522982.tif 000061
であり、
第2コードブックのコードワードだけに対してサブセット制限を行う場合、
2013522982.tif 000062
であり、
第1コードブックと第2コードブックにおけるコードワードに対して別々にサブセット制限を行う場合、
2013522982.tif 000063
であり、
その中、前記第1コードブックにM個のコードワードを含み、第2コードブックにN個のコードワードを含むように設置される請求項10に記載の装置。
【請求項１２】
前記第1選択モジュールはさらに、受信端に採用される周期的フィードバックの方式と非周期的フィードバックの方式に対して、送信端は同じコードワード制限サブセットを選択し、或は別々に異なるコードワード制限サブセットを選定するように設置される請求項8に記載の装置。
【請求項１３】
コードブックの配置システムであって、
送信端と受信端を含み、前記送信端は請求項8〜12のいずれか一つに記載の配置装置を含み、前記受信端は第2選択モジュールと第2送受信モジュールを含み、その中、 
前記第2送受信モジュールは、送信端に選定されたコードワード制限サブセットを知り、且つ第2選択モジュールに通知し、及び第2選択モジュールに選択された最適なプリコーディングコードワードのインデックスを送信端に通知するように設置され、
前記第2選択モジュールは、前記コードワード制限サブセットの内に最適なプリコーディングコードワードを選択し、且つ前記最適なプリコーディングコードワードのインデックスを前記第2送受信モジュールに通知するように設置されるコードブックの配置システム。
【発明の詳細な説明】
【技術分野】
【０００１】
本発明は移動通信技術分野に関し、特にコードブックの配置方法、装置及びシステムに関する。
【背景技術】
【０００２】
無線通信システムにおいて、送信端と受信端にも複数のアンテナを使って、それにより、空間多重化の方式を採用することによってより高いスピードを取得する。受信端はチャネル推定を通じて送信信号が経るチャネル行列を取得可能とするので、各アンテナは異なるデータを送信しても、マルチ入力マルチ出力（Multiple-Input Multiple-Out-put、MIMO）のチャネル行列を経た後、受信端では依然として各アンテナの送信データが読める。
【０００３】
チャネル行列を利用して直接に各アンテナの送信データを読む方法に対して、簡単で効果的な手段はプリコーディング技術を使うことである。送信端がチャネル状况を把握する場合、プリコーディング技術は需要によって同じ効果でチャネルを変えて行列を移ることができる。送信端は層におけるデータをプリコーディング処理を行うことによって、アンテナにマッピングし後、さらに無線チャネルを経て受信端に送信する。もし送信端に正確なチャネル状態情報（CSI）が知られるなら、具体的なチャネル行列に対して特異値分解を行うことができる。その後、チャネル行列に分解された右特異行列をプリコーディング行列として、さらに各層のデータに対してプリコーディングの操作を行う。しかし、CSIは常に受信端だけで直接で正確に取得可能とし、送信端にCSIを取得しようとすれば、受信端を通じて送信端にCSI情報のフィードバックを行うほかない。実際のシステムにおいて、もし直接にCSIをフィードバックすれば、その代価が巨大だし、また実際のシステムのフィードバックオーバーヘッドに制限され、従って、通常の採用方法は、コードブック（codebook）に基づくフィードバックである。即ち、受信端に現在のチャネル場合によってコードブックの中で適当なコードワードを選択し、且つそれのコードブック集合におけるインデックス値を送信端にフィードバックし、これにより、フィードバック量を多くに下げられる。
【０００４】
コードブックに基づくプリコーディングはチャネル量子化の形式の一種である。もし有限なフィードバックチャネル容量はbps/Hzと仮定すれば、使用可能のコードワードの数は
2013522982.tif 000003
個である。チャネル行列の固有ベクトル空間は量子化された後、コードブック空間
2013522982.tif 000004
を構成する。送信端と受信端はこのコードブック
2013522982.tif 000005
を共同保存或はリアルタイム生成する。ロング・ターム・エボリューション（Long Term Evolution，LTE）システムに採用したプリコーディング技術を例として、受信端は一定の規則によってコードブック
2013522982.tif 000006
2013522982.tif 000007
を選択し、且つ該
2013522982.tif 000008
2013522982.tif 000009
を送信端に薦める。ここでは、コードワードインデックスはコードブックにおけるプリコーディング行列インジケータ（Precoding Matrix Indicator、PMIと略称する）と称される。送信端は直接にこの
2013522982.tif 000010
によって相応の
2013522982.tif 000011
を見つけて送信を行っても良い、また受信端に薦められたコードワードを受け取らなく、自分は直接にコードワードを選択して送信を行うことでもよい。送信の過程には、実際に使用されるコードワードインデックスを受信端に通知する。
【０００５】
高級ロング・ターム・エボリューション（Long Term Evolution Advanced、LTE-Aと略称する）システムをLTEの進化の標準として、より大きいシステム帯域幅（最高は100MHzに達する可能である）をサポートし、且つLTEの従来の標準を下位互換させる。セルの縁の被覆とスループットを向上させるため、LTE-Aは従来のLTEシステムの基に、8アンテナ8層の伝送をダウンサポートし、且つ幾つかのフィードバックを増強させる技術を提示する。主にコードブックのフィードバック精度を増強し、該技術は進化の国際モバイル通信（International Mobile Telecommunications-Advance、IMT-Advanceと略称する）システムの周波数スペクトル利用率を高め、周波数スペクトルリソースの不足を緩和させる。現在、増強されたフィードバック技術に対して3GPP RAN1組の会議に達成された共識は：
1）1つのサブバンドのプリコーディング/フィードバック構造は2つの行列からなる。
2）2つの行列のいずれの行列も単独のコードブックに従属する。コードブックは基地局とユーザー設備（UE）によって同時に予め知られる。コードブックは異なる時間と異なるサブバンドに変化があり得る。
3）1つの行列は広域幅或は長期チャネルの属性を表示する。もう1つの行列は周波数帯の上或は短期チャネルの属性を確定することを表示する。
4）使用の行列コードブックは制限された数える行列セットの形式で表示され、且つUEと基地局に対して、いずれの行列も知り得ることができる。
【０００６】
ここから、われわれは、チャネル情報のフィードバックの方面にダブルコードブックに基づく構造が提出され、チャネル情報のフィードバックを需要する1つのサブバンド或は複数の結合サブバンドに対して、UEは基地局に少なくとも2つのPMI情報をフィードバックし、それぞれはPMI1とPMI2であり、その中、PMI1は1つのコードブックC1におけるコードワードW1と対応し、PMI2はもう1つのコードブックC2におけるコードワードW2と対応する。基地局側は同じであるC1とC2情報を有し、PMI1とPMI2を受信した後、対応するコードブックC1とC2の中から対応するコードワードW1とW2を見つけ、且つ約束した関数規則F（W1、W2）によってチャネル情報を取得することをさらに記述できることが見出される。
【０００７】
コードブックの大きさは通常にシグナルのオーバーヘッドを決め、且つコードブックが大きければ大きいほど、一般には良い性能が取得可能とし、従って、コードブックをデザインする場合、通常に性能とオーバーヘッドの折衷を考えに入れる。実際のコードブックをデザインする場合、通常には多種の要素を考えに入れて、たとえば、できるだけ多くのチャネル環境に適用させるのとアンテナ配置方式である。従って、ある特定の伝送場合に、コードブックにおける全てのコードワードは現在の特定の伝送場合に適用するとは限らない、しかし、受信端がコードワードの選択を行う場合に対して、全てのコードブックにおけるコードワードを横断する必要がある。このため、受信端に計算複雑度の増加がもたらされるだけでなく、またある非理想の過程によって受信端がコードワードを誤選択する場合も増加するようになり、特にコードブックが比較的に大きくデザインされた場合。
【発明の概要】
【発明が解決しようとする課題】
【０００８】
本発明が解決しようとする技術問題は、コードブックの配置方法、装置及びシステムを提出し、受信端がコードワードの選択を行う場合の計算複雑度を下げ、且つ受信端がコードワードを誤選択する場合を減少させるのである。
【課題を解決するための手段】
【０００９】
前記技術問題を解決するため、本発明はコードブックの配置方法を提供し、高級ロング・ターム・エボリューション（LTE-A）システムに応用され、前記方法は、 
送信端はコードワード制限サブセットを選定し、且つ受信端に通知し、前記コードワード制限サブセットは、第1コードブック及び/或は第2コードブックにおける部分のコードワード或は全てのコードワードを含むことと、及び、
前記受信端は前記コードワード制限サブセットの内に最適なプリコーディングコードワードを選択し、且つ前記最適なプリコーディングコードワードのインデックスを送信端に通知することを含む。
【００１０】
好ましくて、前記方法はさらに以下の特徴を備え、
送信端にコードワード制限サブセットを選定し、且つ受信端に通知するステップにおいて、前記送信端は上位層シグナルによって選定されたコードワード制限サブセットを受信端に通知する。
【００１１】
好ましくて、前記方法はさらに以下の特徴を備え、
送信端にコードワード制限サブセットを選定し、且つ受信端に通知するステップにおいて、前記送信端は受信端に制限サブセットビットマップを載せるシグナルを送信することによって、選定されたコードワード制限サブセットを受信端に通知する。
【００１２】
その中、前記制限サブセットビットマップにおけるいずれの情報ビットはコードワードと関連し、関連のコードワードは前記コードワード制限サブセットに属するか否かを表示することに用いられる。
【００１３】
好ましくて、前記方法はさらに以下の特徴を備え、 
送信端にコードワード制限サブセットを選定し、且つ受信端に通知するステップにおいて、前記送信端は以下のような方式の1つによって制限サブセットビットマップを設置し、
（1）第1コードブックと第2コードブックにおけるコードワードに対して結合サブセット制限を行い、その中、第1コードブックにおける1つのコードワードと第2コードブックにおける1つのコードワードを一種のコードワード組み合わせとして、毎種のコードワードの組み合わせが制限サブセットビットマップの中の1つの情報ビットと関連し、前記コードワード制限サブセットは、第1コードブックから抽出されたコードワードと第2コードブックから抽出されたコードワードを含み、
（2）第1コードブックのコードワードだけに対してサブセット制限を行い、その中、第1コードブックにおけるそれぞれのコードワードを制限サブセットビットマップにおける1つの情報ビットと関連させ、前記コードブック制限サブセットは、第1コードブックから抽出されたコードワードと第2コードブックの全てのコードワードを含み、
（3）第2コードブックのコードワードだけに対してサブセット制限を行い、その中、第2コードブックにおけるそれぞれのコードワードを制限サブセットビットマップにおける1つの情報ビットと関連させ、前記コードブック制限サブセットは、第2コードブックから抽出されたコードワードと第1コードブックの全てのコードワードと含み、
（4）第1コードブックと第2コードブックにおけるコードワードに対してぞれぞれサブセット制限を行い、その中、第1コードブックと第2コードブックにおけるそれぞれのコードワードを制限サブセットビットマップにおける1つの情報ビットと関連し、前記コードワード制限サブセットは、第1コードブックから抽出されたコードワードと第2コードブックから抽出されたコードワードを含む。
【００１４】
好ましくて、前記方法はさらに以下の特徴を備え、 
前記制限サブセットビットマップに
2013522982.tif 000012
情報ビットを含み、
第1コードブックと第2コードブックにおけるコードワードに対して結合サブセット制限を行う場合、 
2013522982.tif 000013
であり、
第1コードブックのコードワードだけに対してサブセット制限する場合、
2013522982.tif 000014
であり、
第2コードブックのコードワードだけに対してサブセット制限する場合、
2013522982.tif 000015
であり、
第1コードブックと第2コードブックにおけるコードワードに対して別々にサブセット制限を行う場合、
2013522982.tif 000016
であり、
その中、前記第1コードブックはM個のコードワードを含み、第2コードブックはN個のコードワードを含む。
【００１５】
好ましくて、前記方法はさらに以下の特徴を備え：
前記コードワード制限サブセットはさらに、シングルコードブックだけを使う場合でのコードブックにおける全てのコードワードを含み、
前記受信端は前記コードワード制限サブセットの内に最適なプリコーディングコードワードを選択し、且つ、前記最適なプリコーディングコードワードのインデックスを送信端に通知するステップにおいて、前記受信端は伝送ランクの値によって、前記コードワード制限サブセットが含まれる第1コードブックと第2コードブックのコードワードの中から最適なプリコーディングコードワードを選択し、或は前記コードワード制限サブセットが含まれるシングルコードブックのコードワードの中から最適なプリコーディングコードワードを選択する。
【００１６】
好ましくて、前記方法は以下の特徴を備え：
前記受信端は周期的フィードバック方式及び/或は非周期的フィードバックの方式を採用して、前記最適なプリコーディングコードワードのインデックスを送信端に通知し、
送信端にコードワード制限サブセットを選定し、且つ受信端に通知するステップにおいて、受信端に対して採用される周期的フィードバックの方式と非周期的フィードバックの方式は、送信端が同じコードワード制限サブセットを選択し、或は別々に異なるコードワード制限サブセットを選定する。
【００１７】
前記問題を解決するため、本発明はコードブックの配置装置を提供し、第1選択ンジュールと第1送受信モジュールを含み、その中、
前記第1選択モジュールは、コードワード制限サブセットを選定し、且つ第1送受信モジュールに通知し、前記コードワード制限サブセットは、第1コードブック及び/或は第2コードブックにおける部分のコードワード或は全てのコードワードを含むように設置され、
前記第1送受信モジュールは、選定されたコードワード制限サブセットを受信端に通知するように設置される。
【００１８】
好ましくて、前記装置はさらに以下の特徴を備え、 
前記第1選択モジュールは、第1送受信モジュールに制限サブセットビットマップを送信することによって、選定されたコードワード制限サブセットを第1送受信モジュールに通知するように設置され、
前記第1送受信モジュールは、受信端に制限サブセットビットマップを載せるシグナルを送信することによって、選定されたコードワード制限サブセットを受信端に通知するように設置され、
その中、前記制限サブセットビットマップにおけるいずれの情報ビットはコードワードと関連し、関連のコードワードは前記コードワード制限サブセットに属するか否かを表示することに用いられる。
【００１９】
好ましくて、前記装置はさらに以下の特徴を備え、 
前記第1選択モジュールは、以下のような方式の1つによって制限サブセットビットマップを設置するように設置され、
（1）第1コードブックと第2コードブックにおけるコードワードに対して結合サブセット制限を行い、その中、第1コードブックにおける1つのコードワードと第2コードブックにおける1つのコードワードを一種のコードワード組み合わせとして、毎種のコードワード組み合わせが制限サブセットビットマップにおける1つの情報ビットと関連し、前記コードワード制限サブセットは、第1コードブックから抽出されたコードワードと第2コードブックから抽出されたコードワードを含み、
（2）第1コードブックのコードワードだけに対してサブセット制限を行い、その中、第1コードブックにおけるそれぞれのコードワードを制限サブセットビットマップにおける1つの情報ビットと関連させ、前記コードブック制限サブセットは、第1コードブックから抽出されたコードワードと第2コードブックの全てのコードワードを含み、
（3）第2コードブックのコードワードだけに対してサブセット制限を行い、その中、第2コードブックにおけるそれぞれのコードワードを制限サブセットビットマップにおける1つの情報ビットと関連させ、前記コードブック制限サブセットは、第2コードブックから抽出されたコードワードと第1コードブックの全てのコードワードを含み、
（4）第1コードブックと第2コードブックにおけるコードワードを別々にサブセット制限を行い、その中、第1コードブックと第2コードブックにおけるそれぞれのコードワードが制限サブセットビットマップにおける1つの情報ビットと関連させ、前記コードワード制限サブセットは、第1コードブックから抽出されたコードワードと第2コードブックから抽出されたコードワードを含む。
【００２０】
好ましくて、前記装置はさらに以下の特徴を備え：前記第1選択モジュールはさらに、前記制限サブセットビットマップに
2013522982.tif 000017
の情報ビットを含み、
第1コードブックと第2コードブックにおけるコードワードに対して結合サブセット制限を行う場合、 
2013522982.tif 000018
であり、
第1コードブックのコードワードだけに対してサブセット制限を行う場合、
2013522982.tif 000019
であり、
第2コードブックのコードワードだけに対してサブセット制限を行う場合、
2013522982.tif 000020
であり、
第1コードブックと第2コードブックにおけるコードワードに対して別々にサブセット制限を行う場合、
2013522982.tif 000021
であり、
その中、前記第1コードブックはM個のコードワードを含み、第2コードブックはN個のコードワードを含むように設置される。
【００２１】
このましくて、前記装置はさらに以下の特徴を備え：
前記第1選択モジュールは、受信端に採用される周期的フィードバックの方式と非周期的フィードバックの方式に対して、送信端が同じコードワード制限サブセットを選択し、或は別々に異なるコードワード制限サブセットを選定するように設置される。
【００２２】
前記技術問題を解決するため、本発明はコードブック配置システムを提供し、送信端と受信端を含み、前記送信端は前記の配置装置を含み、前記受信端は第2選択モジュールと第2送受信モジュールを含み、その中、 
前記第2送受信モジュールは、送信端に選定されたコードワード制限サブセットを知り、且つ第2選択モジュールに通知し、及び第2選択モジュールに選択された最適なプリコーディングコードワードのインデックスを送信端に通知するように設置され、
前記第2選択モジュールは、前記コードワード制限サブセットの内に最適なプリコーディングコードワードを選択し、且つ前記最適なプリコーディングコードワードのインデックスを前記第2送受信モジュールに通知するように設置される。
【発明の効果】
【００２３】
本発明を通じて、LTE-Aシステムにおいて、二重コードブックの場合に対してコードワード制限を行い、受信端がコードワードを選択する場合の計算複雑度と受信端がコードワードを誤選択する場合を減少させ、且つLTEにおけるシグナル構造をよく継承可能とすることを実現する。
【図面の簡単な説明】
【００２４】
【図１】図1は本発明の実施例のコードブックの配置方法のフローチャートである。
【図２】図2は本発明の実施例のコードブック配置システムの模式図である。
【発明を実施するための形態】
【００２５】
本発明はダブルコードブックのコードワードに対してサブセット制限を行い、受信端がコードワードを選択する場合の計算複雑度をさげるためである。本発明は実際の応用において、システムが需要によってコードブックを自己定義することをサポートし、自己で定義されたコードブック（コードワード制限サブセットと称する）は、現在に使用されるチャネル情報の量子化を行うコードブックであり、その中、標準定義のコードブックにおける全て或は部分のコードワードを含み、或は標準定義における定義された全て或は部分のコードワードと、1個或は複数個の伝送ランクを含み、或はコードワードと伝送ランクとの組み合わせを含む。われわれはこの自己定義の機能をコードブック制限機能と称し、コードワード制限サブセットは上位層シグナルによって受信端に通知する。受信端はサブセット制限の具体の配置を通知された後、コードワード制限サブセットのコードワードの中に最適なプリコーディングコードワードの選択を行う。
【００２６】
具体には、本発明の実施例のコードブックの配置方法は図1のように示し、LTE-Aシステムに応用でき、
送信端はコードワード制限サブセットを選定し、且つ受信端に通知し、前記コードワード制限サブセットは、第1コードブック及び/或は第2コードブックにおける部分のコードワード或は全てのコードワードを含むステップ101、
前記受信端は前記コードワード制限サブセットの内に最適なプリコーディングコードワードを選択し、且つ前記最適なプリコーディングコードワードのインデックスを送信端に通知するステップ102を含む。
【００２７】
その中、前記送信端と受信端は前記第1コードブックと第2コードブックにおける全てのコードワードを予め知り、送信端は複数の第1コードブックと第2コードブックに対してコードワード制限を行うサブセットであるコードワード制限サブセットを予め知った。
【００２８】
送信端は上位層シグナル（たとえば無線リソース制御（Radio Resource Control、RRC）シグナル）によって、選定されたコードワード制限サブセットを受信端に通知する。
【００２９】
具体には、送信端は受信端に制限サブセットビットマップ（bitmap）を載せるシグナルを送信することによって、選定されたコードワード制限サブセットを受信端に通知することができ、
その中、前記制限サブセットビットマップは受信端の使用可能な全てのコードワード制限サブセットを指定することができ、制限サブセットビットマップにおけるいずれの情報ビットがコードワードと関連し、関連のコードワードは前記コードワード制限サブセットに属するか否かを表示することに用いられる。たとえば、情報ビットの値は1である場合、関連のコードワードはコードワード制限サブセット中に選定されることを表示し、情報ビットの値は0である場合、関連のコードワードはコードワード制限サブセットの中に選定されないことを表示する。
【００３０】
さらに、送信端は以下の方式の1つによって、制限サブセットビットマップを設置し、サブセット制限を行い、
（1）第1コードブックと第2コードブックにおけるコードワードに対して結合サブセット制限を行い、その中、第1コードブックにおける1つのコードワードと第2コードブックにおける1つのコードワードをコードワード組み合わせとして、毎種のコードワード組み合わせは制限サブセットビットマップにおける1つの情報ビットと関連し、前記コードワード制限サブセットは第1コードブックから抽出されたコードワードと第2コードブックから抽出されたコードワードを含み、
（2）第1コードブックのコードワードだけに対してサブセット制限を行い、その中、第1コードブックにおけるそれぞれのコードワードを制限サブセットビットマップにおける1つの情報ビットと関連させ、前記コードブック制限サブセットは、第1コードブックから抽出されたコードワードと第2コードブックの全てのコードワードを含み、
（3）第2コードブックのコードワードだけに対してサブセット制限を行い、その中、第2コードブックにおけるそれぞれのコードワードを制限サブセットビットマップにおける1つの情報ビットと関連させ、前記コードブック制限サブセットは、第2コードブックから抽出されたコードワードと第1コードブックの全てのコードワードを含み、
（4）第1コードブックと第2コードブックにおけるコードワードを別々にサブセット制限を行い、その中、第1コードブックと第2コードブックにおけるそれぞれのコードワードを制限サブセットビットマップにおける1つの情報ビットと関連させ、前記コードワード制限サブセットは、第1コードブックから抽出されたコードワードと第2コードブックから抽出されたコードワードを含む。
【００３１】
その中、前記制限サブセットビットマップにL個の情報ビット（即ちLビット）を含み、前記第1コードブックはM個のコードワードを含み、第2コードブックはN個のコードワード（即ち第1コードブックの大きさはMビットであり、第2コードブックの大きさはNビットである）を含み、
第1コードブックと第2コードブックにおけるコードワードに対して結合サブセット制限を行う場合、 
2013522982.tif 000022
であり、
第1コードブックのコードワードだけに対してサブセット制限を行う場合、
2013522982.tif 000023
であり、
第2コードブックのコードワードだけに対してサブセット制限を行う場合、
2013522982.tif 000024
であり、
第1コードブックと第2コードブックにおけるコードワードに対して別々にサブセット制限を行う場合、
2013522982.tif 000025
である。
【００３２】
前記コードワード制限サブセットはさらに、シングルコードブックだけを使用する場合にシングルコードブックにおける全てのコードワードを含む可能があり、
前記受信端は伝送ランクの値によって、前記コードワード制限サブセットに含まれる第1コードブックと第2コードブックのコードワードの中に最適なプリコーディングコードワードを選択し、或は前記コードワード制限サブセットに含まれるシングルコードブックのコードワードの中に最適なプリコーディングコードワードを選択する。
【００３３】
前記受信端は周期的フィードバックの方式及び/或は非周期的フィードバックの方式を採用することにより、前記最適なプリコーディングコードワードのインデックスを送信端に送信し、
受信端に対して採用される周期的フィードバックの方式と非周期的フィードバックの方式は、送信端が同じコードワード制限サブセットを選択可能とし、別々に異なるコードワード制限サブセットも選択可能とする。
【００３４】
受信端に対して採用される周期的フィードバックの方式と非周期的フィードバックの方式は、もし送信端が同じコードワード制限サブセットを選択し、且つ受信端がコードブックのサンプル抽出方法を採用して前記最適なプリコーディングコードワードのインデックスを周期的フィードバックすれば、前記受信端はサンプリングルールによってサンプリングされたコードブックサブセットと前記コードワード制限サブセットとの共通部分内に最適なプリコーディングコードワードを選択する。
【００３５】
本発明実施例のコードブック配置システムは図2のように示し、LTE-Aシステムに応用され、送信端と受信端を含み、前記送信端は第1選択モジュールと第1送受信モジュールを含み、前記受信端は第2選択モジュールと第2送受信モジュールを含み、その中、
前記第1選択モジュールは、コードワード制限サブセットを選定し、且つ第1送受信モジュールに通知することに用いられ、前記コードワード制限サブセットは第1コードブック及び/或は第2コードブックにおける部分のコードワード或は全てのコードワードを含み、
前記第1送受信モジュールは選定されたコードワード制限サブセットを受信端に通知することに用いられ、
前記第2送受信モジュールは送信端が選定されたコードワード制限サブセットを知り、且つ第2選択モジュールに通知し、及び、第2選択モジュールが選択された最適なプリコーディングコードワードのインデックスを送信端に通知することに用いられ、
前記第2選択モジュールは前記コードワード制限サブセットの内に最適なプリコーディングコードワードを選択し、且つ前記最適なプリコーディングコードワードのインデックスを前記第2送受信モジュールに通知することに用いられる。
【００３６】
好ましくて、前記第1選択モジュールは第1送受信モジュールに制限サブセットビットマップを送信することによって、選定されたコードワード制限サブセットを第1送受信モジュールに通知することにさらに用いられ、
前記第1送受信モジュールは受信端に制限サブセットビットマップを載せるシグナルを送信することによって、選定されたコードワード制限サブセットを受信端に通知することにさらに用いられ、
その中、前記制限サブセットビットマップにおけるいずれの情報ビットがコードワードと関連し、関連のコードワードは前記コードワード制限サブセットに属するか否かを表示することに用いられる。
【００３７】
好ましくて、前記第1選択モジュールは以下の方式の1つを通じて制限サブセットビットマップを設置することにさらに用いられ、
（1）第1コードブックと第2コードブックにおけるコードワードに対して結合サブセット制限を行い、その中、第1コードブックにおける1つのコードワードと第2コードブックにおける1つのコードワードをコードワード組み合わせとして、毎種のコードワード組み合わせが制限サブセットビットマップにおける1つの情報ビットと関連し、前記コードワード制限サブセットは第1コードブックから抽出されたコードワードと第2コードブックから抽出されたコードワードを含み、
（2）第1コードブックのコードワードだけに対してサブセット制限を行い、その中、第1コードブックにおけるそれぞれのコードワードを制限サブセットビットマップにおける1つの情報ビットと関連させ、前記コードブック制限サブセットは第1コードブックから抽出されたコードワードと第2コードブックの全てのコードワードを含み、
（3）第2コードブックのコードワードだけに対してサブセット制限を行い、その中、第2コードブックにおけるそれぞれのコードワードを制限サブセットビットマップにおける1つの情報ビットと関連させ、前記コードブック制限サブセットは第2コードブックから抽出されたコードワードと第1コードブックのコードワードを含み、
（4）第1コードブックと第2コードブックにおけるコードワードに別々サブセット制限を行い、その中、第1コードブックと第2コードブックにおけるそれぞれのコードワードを制限サブセットビットマップにおける1つの情報ビットと関連させ、前記コードワード制限サブセットは第1コードブックから抽出されたコードワードと第2コードブックから抽出されたコードワードを含む。
【００３８】
好ましくて、前記制限サブセットビットマップは
2013522982.tif 000026
の情報ビットを含み、
第1コードブックと第2コードブックにおけるコードワードに対して結合サブセット制限を行う場合、 
2013522982.tif 000027
であり、
第1コードブックのコードワードだけに対してサブセット制限を行う場合、
2013522982.tif 000028
であり、
第2コードブックのコードワードだけに対してサブセット制限を行う場合、
2013522982.tif 000029
であり、
第1コードブックと第2コードブックにおけるコードワードに対して別々にサブセット制限を行う場合、
2013522982.tif 000030
であり、
その中、前記第1コードブックはM個のコードワードを含み、第2コードブックはN個のコードワード含む。
【００３９】
好ましくて、前記第1選択モジュールは受信端に採用される周期的フィードバック方式と非周期的フィードバック方式に対して、送信端が同じコードワード制限サブセットを選択し、或は別々に異なるコードワード制限サブセットを選択することにさらに用いられる。
【００４０】
好ましくて、前記第2選択モジュールは、もし受信端に採用される周期的フィードバック方式と非周期的フィードバック方式に対して、送信端が同じコードワード制限サブセットを選択し、且つ受信端がコードブックサンプリング方法を採用して前記最適なプリコーディングコードワードのインデックスを周期的フィードバックすれば、サンプリング抽出ルールによってサンプリングされたコードブックサブセットと前記コードワード制限サブセットとの共通部分内に最適なプリコーディングコードワードを選択することにさらに用いられる。
【００４１】
前記コードワード制限サブセットは、シングルコードブックだけを使用する場合にシングルコードブックにおける全てのコードワードを含み、前記第2選択モジュールは伝送ランクの値によって、前記コードワード制限サブセットに含まれる第1コードブックと第2コードブックのコードワードに最適なプリコーディングコードワードを選択し、或は前記コードワード制限サブセットに含まれるシングルコードブックのコードワードに最適なプリコーディングコードワードを選択することをさらに用いられる。
【００４２】
本発明の実施例のコードブックの配置装置はLTE-Aシステムに応用され、前記の第1選択モジュールと第1送受信モジュールを含む。
【００４３】
以下、具体の応用例をもって本発明をさらに説明する。以下の応用例は主にクローズドループ空間多重通信モードでのコードブックコードワードに対してサブセット制限を行うことを例として述べ、但しこの場合に限らない。
【００４４】
応用例1
LTE-Aシステムにおいて、送信端の基地局と受信端のユーザー設備（UE）に多本のアンテナが配置され、基地局はプリコーディングに基づくクローズドループ空間多重モードを採用してUEに情報を送信する。基地局とUEはプリコーディングコードブックを予め知リ、ここのプリコーディングコードブックは増強されたダブルコードブック配置である。基地局は複数の第1コードブックと第2コードブックに対して結合サブセット制限を行うコードブックサブセット（即ちコードワード制限サブセット）を知り、いずれのコードブックサブセットは第1コードブックと第2コードブックの部分或は全てのコードワードを含む。基地局はあるメカニズムによってその中の1つのコードブックサブセットを選定し、且つ無線リソース制御（RRC）シグナルのような上位層シグナルによって最適なプリコーディングコードワードの選択を行う場合、コードブックを該サブセットに制限させて捜索と選択を行うことをUEに通知し、その後、選定された最適なプリコーディングコードワードインデックスを送信端にフィードバックする。
【００４５】
基地局とUEが予め知った第1コードブックと第2コードブックは図１のようなコードブックの構成の形式を採用することを仮定して、その中、第1コードブックの大きさは3ビットであり、第2コードブックの大きさは2ビットである。
【００４６】
2013522982.tif 000031
【００４７】
第1コードブックと第2コードブックにおけるコードワードに対して結合サブセット制限の方法を採用する場合、第1コードブックの1つのコードワードと第2コードブックの1つのコードワードを一種のコードワード組み合わせとして、毎種のコードワード組み合わせは制限サブセットビットマップの1つの情報ビットと関連する。ビットマップはビット配列
2013522982.tif 000032
の形式に排列される。ビットマップにおける情報ビットの値は1である場合、関連のコードワードが制限のサブセットに選定されたことを表示し、情報ビットの値は0である場合、関連のコードワードが制限のサブセットに選定されなかったことを表示する。この時、ビットマップはコードワードインデックスとの関連関係は図2のように示す。
【００４８】
第1コードブックと第2コードブックにおけるコードワードに対して結合サブセット制限を行う方法を採用するのは、UEに通知することに必要な選定されるコードワード制限サブセットの制限サブセットビットマップの情報ビットの数或はビットの数は
2013522982.tif 000033
である。
【００４９】
2013522982.tif 000034
【００５０】
応用例2
LTE-Aシステムにおいて、送信端の基地局と受信端のユーザー設備（UE）が多本のアンテナが配置され、基地局はプリコーディングに基づくクローズドループ空間多重モードを採用してUEに情報を送信する。基地局とUEはプリコーディングコードブックを予め知ったのであり、ここのプリコーディングコードブックは増強されたダブルコードブック配置である。基地局は複数の第1コードブックだけにサブセット制限を行うコードブックサブセット（即ちコードワード制限サブセット）を知り、いずれのコードブックサブセットは第1コードブックから抽出されたコードワードと第2コードブックの全てのコードワードを含む。基地局はあるメカニズムによってその中の1つのコードブックサブセットを選定し、且つ無線リソース制御（RRC）シグナルのような上位層シグナルによって、最適なプリコーディングコードワードの選択を行う場合、コードブックを該サブセットの中に制限させて搜索と選択を行うことをUEに通知し、その後、選定された最適なプリコーディングコードワードインデックスを送信端にフィードバックする。
【００５１】
基地局とUEが予め知った第1コードブックと第2コードブックは依然として表１コードブックの構成の形式を採用することを仮定する。その中、第1コードブックの大きさは3ビットであり、第2コードブックの大きさは2ビットである。
【００５２】
第1コードブックのコードワードだけに対してサブセット制限を行う方法を採用する場合、第1コードブックにおけるそれぞれのコードワードを制限サブセットビットマップの中の1つの情報ビットと関連させる。ビットマップはビット配列
2013522982.tif 000035
の形式に排列される。ビットマップにおける情報ビットの値は1である場合、関連のコードワードが制限サブセットに選定されたことを表示し、情報ビットの値は0である場合、関連のコードワードが制限のサブセットに選定されなかったことを表示する。この時、ビットマップがコードワードインデックスとの関連関係は表3のように示す。
【００５３】
2013522982.tif 000036
【００５４】
第1コードブックだけにコードワードサブセット制限の方法を採用すると、UEに通知する必要がある選定されたコードワード制限サブセットの制限サブセットビットマップの情報ビットの数、或はビットの数は
2013522982.tif 000037
である。
【００５５】
応用例3
LTE-Aシステムにおいて、送信端の基地局と受信端のユーザー設備（UE）は多本のアンテナが配置され、基地局はプリコーディングに基づくクローズドループ空間多重モードを採用してUEに情報を送信する。基地局とUEはプリコーディングコードブックを予め知ったのであリ、ここのプリコーディングコードブックは増強されたダブルコードブック配置である。基地局は複数の第2コードブックだけにサブセット制限を行うコードブックサブセット（即ちコードワード制限サブセット）を知り、いずれのコードブックサブセットは第2コードブックから抽出されたコードワードと第1コードブックの全てのコードワードを含む。基地局はあるメカニズムによってその中の1つのコードブックサブセットを選定し、且つ無線リソース制御（RRC）シグナルのような上位層シグナルによって、最適なプリコーディングコードワードの選択を行う場合、コードブックを該サブセットに制限させて搜索と選択を行うことをUEに通知し、その後、選定された最適なプリコーディングコードワードインデックスを送信端にフィードバックする。
【００５６】
基地局とUEが予め知った第1コードブックと第2コードブックは依然として表1のコードブックの構成の形式を採用することを仮定する。その中、第1コードブックの大きさは3ビットであり、第2コードブックの大きさは2ビットである。
【００５７】
第2コードブックのコードワードだけに対してサブセット制限の方法を採用する場合、第2コードブックにおけるそれぞれのコードワードを全てビットマップにおける1つの情報ビットと関連させる。ビットマップはビット配列
2013522982.tif 000038
の形式に排列される。ビットマップに情報ビットの値は1である場合、関連のコードワードが制限のサブセットの中に選定されたことを表示し、情報ビットの値は0である場合、関連のコードワードが制限のサブセットの中に選定されなかったことを表示する。この時、ビットマップがコードワードインデックスとの関連関係は表4のように示す。
【００５８】
第2コードブックだけにコードワードサブセット制限を行う方法を採用すると、UEに通知する必要がある選定されたコードワード制限サブセットの制限サブセットビットマップの情報ビットの数或はビットの数は
2013522982.tif 000039
である。
【００５９】
2013522982.tif 000040
【００６０】
応用例4
LTE-Aシステムにおいて、送信端の基地局と受信端のユーザー設備（UE）は多本のアンテナが配置され、基地局はプリコーディングに基づくクローズドループ空間多重モードを採用してUEに情報を送信する。基地局とUEはプリコーディングコードブックを予め知ったのであり、ここのプリコーディングコードブックは増強されたダブルコードブック配置である。基地局は複数の第1コードブックと第2コードブックに対して別々にサブセット制限を行うコードブックサブセット（即ちコードワード制限サブセット）を知り、いずれのコードブックサブセットは第1コードブックから抽出されたコードワードと第2コードブックから抽出されたコードワードを含む。基地局はあるメカニズムによってその中の1つのコードブックサブセットを選定し、且つ無線リソース制御（RRC）シグナルのような上位層シグナルによって、最適なプリコーディングコードワードの選択を行う場合、コードブックを該サブセットの中に制限させて搜索と選択を行うことをUEに通知し、その後、選定された最適なプリコーディングコードワードインデックスを送信端にフィードバックする。
【００６１】
基地局とUEが予め知った第1コードブックと第2コードブックは依然として表1のコードブックの構成の形式を採用することを仮定する。その中、第1コードブックの大きさは3ビットであり、第2コードブックの大きさは2ビットである。
【００６２】
2013522982.tif 000041
第1コードブックと第2コードブックのコードワードだけに対して別々にサブセット制限を行う方法を採用する場合、第1コードブックと第2コードブックにおけるそれぞれのコードワードを全てビットマップにおける1つの情報ビットと関連させる。ビットマップはビット配列の形式に排列させる。ビットマップに情報ビットの値は1である場合、関連のコードワードが制限のサブセットの中に選定されたことを表示し、情報ビットの値は0である場合、関連のコードワードが制限のサブセットに選定されなかったことを表示する。この時、ビットマップがコードワードインデックスとの関連関係は表5のように示す。
【００６３】
第1コードブックと第2コードブックにおけるコードワードに対して別々にサブセット制限を行う方法を採用すると、UEに通知する必要がある選定されたコードワード制限サブセットの制限サブセットビットマップの情報ビットの数或はビットの数は
2013522982.tif 000042
である。
【００６４】
2013522982.tif 000043
【００６５】
応用例5
LTE-Aシステムにおいて、送信端の基地局と受信端のユーザー設備（UE）は多本のアンテナが配置され、基地局はプリコーディングに基づくクローズドループ空間多重モードを採用してUEに情報を送信する。基地局とUEはプリコーディングコードブックを予め知ったのであり、ここのプリコーディングコードブックは増強されたダブルコードブック配置である。基地局は複数の第1コードブックと第2コードブックに対して別々にサブセット制限を行うコードブックサブセット（即ちコードワード制限サブセット）を知り、いずれのコードブックサブセットは第1コードブックから抽出されたコードワードと第2コードブックから抽出されたコードワードを含む。基地局はあるメカニズムによってその中の1つのコードブックサブセットを選定し、且つ無線リソース制御（RRC）シグナルのような上位層シグナルによって、最適なプリコーディングコードワードの選択を行う場合、コードブックを該サブセットの中に制限させて搜索と選択を行うことをUEに通知し、その後、選定された最適なプリコーディングコードワードインデックスを送信端にフィードバックする。
【００６６】
基地局とUEが予め知ったダブルコードブックの構成は以下の方法を採用することを仮定して、
伝送ランク（RI）がより低い場合、たとえば、RI=1或はRI=2の場合に、但しこの場合に限らない、UEはダブルコードブックの方式を採用してプリコーディング情報をフィードバックし、伝送ランクがより大きい場合、たとえばRI>2の場合に（但しこの場合に限らない）、UEはシングルコードブックの方式を採用してプリコーディング情報をフィードバックする。その中、ダブルコードブック部分の第1コードブックの大きさは3ビットであり、第2コードブックの大きさは2ビットである。シングルコードブック部分のコードブック大きさは3ビットである。
【００６７】
本例に表6のコードブックの構成形式を採用する。
2013522982.tif 000044
【００６８】
ダブルコードブック部分の第1コードブックと第2コードブックの中コードワードに対して別々にサブセット制限を行う方法を採用する場合、第1コードブックと第2コードブックの中のそれぞれのコードワードを全てのビットマップにおける1つの情報ビットと関連させる。ビットマップはビット配列
2013522982.tif 000045
の形式に排列される。ビットマップにおける情報ビットの値は1である場合、関連のコードワードが制限のサブセットの中に選定されたことを表示し、情報ビットの値は0である場合、関連のコードワードが制限のサブセットの中に選定されなかったことを表示する。
【００６９】
ここで説明する必要があるのは、高伝送ランクの場合にシングルコードブックを採用する場合によって、コードブックサブセット制限を行う場合、ダブルコードブックのコードブック部分だけに対してサブセット制限を行い、シングルコードブック部分はもう制限を行わない。従って、この時組立てられるコードブック制限サブセットは第1コードブックから抽出されたコードワードと第2コードブック中から抽出されたコードワード及びシングルコードブックにおける全てのコードワードを含む。
【００７０】
この時、ビットマップがコードワードインデックスとの関連関係は表7のように示す。
【００７１】
第1コードブックと第2コードブックにおけるコードワードに別々にサブセット制限を行う方法を採用すると、UEに通知する必要がある選定されたコードワード制限サブセットの制限サブセットビットマップの情報ビットの数或はビットの数は
2013522982.tif 000046
である。
【００７２】
2013522982.tif 000047
【００７３】
応用例6
LTE-Aシステムにおいて、送信端の基地局と受信端のユーザー設備（UE）は多本のアンテナが配置され、基地局はプリコーディングに基づくクローズドループ空間多重モードを採用してUEに情報を送信する。基地局とUEはプリコーディングコードブックを予め知ったのであり、ここのプリコーディングコードブックは増強されたダブルコードブック配置である。基地局は複数の第1コードブックと第2コードブックに対して別々にサブセット制限を行うコードブックサブセット（即ちコードワード制限サブセット）を知り、いずれのコードブックサブセットは第1コードブックから抽出されたコードワードと第2コードブックから抽出されたコードワードを含む。基地局はあるメカニズムによってその中の1つのコードブックサブセットを選定し、且つ無線リソース制御（RRC）シグナルのようなキャリア制限サブセットビットマップ（bitmap）の上位層シグナルによって、最適なプリコーディングコードワードの選択を行う場合、コードブックを該サブセットの中に制限させて搜索と選択を行うことをUEに通知し、その後、選定された最適なプリコーディングコードワードインデックスを送信端にフィードバックする。UEは周期的フィードバック或は非周期的フィードバックの二種類のフィードバックタイプを採用して基地局にプリコーディング情報のフィードバックを行う。
【００７４】
その中、周期的フィードバックと非周期的フィードバックに対して、基地局は、あるメカニズムを通じてコードブックサブセットAを選択し、周期的フィードバックと非周期的フィードバックに対してコードワード制限を行い、即ち周期的フィードバックと非周期的フィードバックは同じビットマップ情報を使うことであり、或いは周期的フィードバックと非周期的フィードバックに対して、基地局は、あるメカニズムを通じて異なるコードブックサブセットAとBを選択し、別々に周期的フィードバックと非周期的フィードバックに対してコードワード制限を行い、即ち周期的フィードバックと非周期的フィードバックは異なるビットマップ情報を使うことである。
【００７５】
その中、基地局はコードブックサブセットAを選択し、周期的フィードバックと非周期的フィードバックに対してコードワード制限を行う場合、周期的フィードバックに載せる物理的アップリング制御チャネル（PUCCH）はシグナルオーバーヘッドに制限されるので、通常にコードブックにおけるコードワードをサンプリングする方法を採用することによってフィードバックシグナルのオーバヘッドをコントロールし、サンプリングルールによってサンプリングされたコードブックサブセットはCである。従って、この時、UEを周期的フィードバックすることに対して、コードワードの搜索を行うコードブックサブセットAとCが同時に
2013522982.tif 000048
と確定される。
【００７６】
基地局とUEが予め知った第1コードブックと第2コードブックは表１のコードブックの構成形式を採用することを仮定する。第1コードブックと第2コードブックにおけるコードワードに対して別々にサブセット制限を行う方法を採用し、ビットマップがコードワードインデックスとの関連関係は表5のように示す。
【００７７】
周期的フィードバックと非周期的フィードバックは同じコードブック制限サブセットAを採用する場合、基地局はビットマップ情報
2013522982.tif 000049
によって周期的或は非周期的フィードバックを行う場合、サブセットAの中にコードワードの捜索を行うことをUEに通知する可能とする。
【００７８】
周期的フィードバックと非周期的フィードバックは異なるコードブック制限サブセットを採用する場合、周期的フィードバックはコードブックサブセットAを採用し、非周期的フィードバックはコードブックサブセットBを採用することを仮定とし、基地局はビットマップ情報
2013522982.tif 000050
によって周期的フィードバックを行う場合、サブセットAにコードワードの捜索を行い、非周期的フィードバックを行う場合、サブセットBにコードワードの捜索を行うことをUEに通知する可能とする。
【００７９】
周期的フィードバックと非周期的フィードバックは同じビットマップ
2013522982.tif 000051
を使う場合、且つ周期的フィードバックはコードブックにおけるコードワードに対してサンプリングを行う方法を採用し、周期的フィードバックに採用したサンプリングしたコードブックが表8のように示すことを仮定とする。この時、ビットマップ情報とサンプリングルールによって同時に確定されたUEがコードワードの捜索を行うコードブックサブセットは
2013522982.tif 000052
である。
【００８０】
2013522982.tif 000053
【００８１】
当業者は、前記方法における全て或は部分のステップがプログラムによって指令で関連のハードウェアを完成させられ、前記プログラムは計算機の可読記憶媒体に記憶されることが可能とし、たとえば、リードオンリーメモリ、ディスク、或はコンパクトディスクなどであることが理解可能である。選択的に、前記実施例の全て或は部分のステップは1つ或は複数の集積回路を使うことによって実現させる。従って、前記実施例の各モジュール/ユニットはハードウェアの形式を採用して実現可能とし、ソフトウェアの機能モジュールの形式も採用することによって実現可能とする。本発明はいかなる特定の形式のハードウェアとソフトウェアとの結合に制限されない。
【００８２】
もちろん、本発明はさらに多種の実施例を有する可能であり、本発明の精神及び実質を違反しない場合は、当業者は、本発明に基づく各種の相応の変化と変形を作り出すことが可能であり、但しこれらの変化と変形は全て本発明の請求項の保護範囲に属すべきものである。
【産業上の利用可能性】
【００８３】
本発明を通じて、LTE-Aシステムにおいて、ダブルコードブックに対しての場合でコードワード制限を行い、受信端がコードワード選択を行う際の計算複雑度を減少させ、受信端がコードワードを誤選択する場合を減少させ、且つLTEのシグナル構造をうまく継承できるようにする。
【図１】
2013522982.tif 000064
【図２】
2013522982.tif 000065
【国際調査報告】
2013522982.tif 000066
2013522982.tif 000067
2013522982.tif 000068
2013522982.tif 000069